(57)【要約】【課題】冗長な検出手段を付加することなく、特殊形状の記録媒体について安定した情報の記録再生を可能とし、記録、再生速度を制限して大きい音の発生を無くす。【解決手段】記録媒体に対する情報の記録、記録されている情報の再生又は消去を行う手段を備えた情報記録再生装置２５に、記録面全域に情報記録再生領域が同心円状に形成されている記録媒体と、情報記録再生領域に不連続領域が存在し、少なくとも２つの領域に分割されている特殊形状の記録媒体とを判別する特殊形状判別手段を設ける。【選択図】      図１
2004164743.tif 000002
【特許請求の範囲】
【請求項１】
記録媒体に対する情報の記録、記録されている情報の再生又は消去を行う手段を備えた情報記録再生装置であって、
記録面全域に情報記録再生領域が同心円状に形成されている記録媒体と、情報記録再生領域に不連続領域が存在し、該情報記録再生領域が少なくとも２つの領域に分割されている特殊形状の記録媒体とを判別する特殊形状判別手段を設けたことを特徴とする情報記録再生装置。
【請求項２】
請求項１記載の情報記録再生装置において、
前記記録媒体が特殊形状であると前記特殊形状判別手段が判断したときに、該記録媒体に対する情報の記録、記録されている情報の再生又は消去の少なくとも一つを行う速度を制限させる手段を設けたことを特徴とする情報記録再生装置。
【請求項３】
前記特殊形状判別手段が、対物レンズを前記記録媒体の半径方向に移動させた位置におけるフォーカスサーボ信号のオンサーボの有無により前記記録媒体が特殊形状か否かを判別することを特徴とする請求項１又は２記載の情報記録再生装置。
【請求項４】
請求項１乃至３のいずれか一項記載の情報記録再生装置において、
前記記録媒体のイナーシャの測定結果から、該記録媒体が８ｃｍサイズの光ディスクであるか否かを判断する手段を設け、
該手段が８ｃｍサイズの光ディスクであると判断したときに、前記特殊形状判別手段が作動することを特徴とする情報記録再生装置。
【請求項５】
前記特殊形状判別手段が、前記特殊形状の記録媒体は、前記不連続領域がその中心孔から３乃至４ｃｍの位置に形成されているとして、特殊形状の記録媒体を判別することを特徴とする請求項３又は４記載の情報記録再生装置。
【発明の詳細な説明】
【０００１】
【発明の属する技術分野】
この発明は、コンピュータの周辺機器として利用され、特殊形状のディスクを検出可能な情報記録再生装置に関する。
【０００２】
【従来の技術】
マルチメディアの普及に伴い、記録媒体に記録されている情報を再生する情報再生装置として、種々のものが実用化されている。例えば、ディスク形状の記録媒体である音楽用ＣＤ（Ｃｏｍｐａｃｔ  Ｄｉｓｋ）を再生するディスク再生装置やパーソナルコンピュータ（以下「パソコン」という）用ＣＤ−ＲＯＭに記録されているデータを再生するディスク再生装置、ＤＶＤ−ｖｉｄｅｏに記録された動画を再生するＤＶＤプレーヤがある。最近では、色素系メディアを用いた追記型光ディスクや、光磁気メディアを用いた書き換え可能なＭＯ（Ｍａｇｎｅｔｏ  Ｏｐｔｉｃａｌ）ディスク、相変化型メディア等が注目されている。また、レーザ光源としての半導体レーザの短波長化、高ＮＡ対物レンズによるスポット径の小径化、薄型基盤の採用等により、ＤＶＤ（Ｄｉｇｉｔａｌ  Ｖｅｒｓａｔｉｌｅ  Ｄｉｓｋ）−ＲＯＭ、ＤＶＤ−Ｒ（Ｒｅｃｏｒｄａｂｌｅ）、ＤＶＤ−ＲＡＭ、ＤＶＤ−ＲＷ（Ｒｅｗｒｉｔａｂｌｅ）等の大容量ディスクが実用化されている。
【０００３】
一方、前述の各種記録媒体（メディアともいう）は、一般には円形状であるが中には形状が同心円状でないものも実用化されている。例えば、そのような記録媒体として、名刺型ディスクのように、情報の記録再生を行う同心円状に形成された領域に不連続領域が存在し、その領域が少なくとも１組の平行線によって分割された特殊な形状に形成された光ディスクが実用化されている。
このような特殊形状に形成された記録媒体に関する従来技術として、ＣＤカード等、形状によって規制されたディスク型記憶部を備えた回転読取り方式の記録媒体へのアクセス方法及びデータ結合方法に関する技術があった（例えば、特許文献１参照。）。これは、次のような内容である。情報の読取り時にはＣＤカード１０が回転軸を中心として回転し、読取り部２５から射出するレーザ光の反射光の受光によりトラック上のデータが読取られるが、ＣＤカード１０は非円形であり、切れ目（非トラック部分）があるので、非トラック検出部２２によりこの切れ目を検出して読み飛ばすようにする。その非トラック検出部２２は、ＣＤカード１０を挟んで上方に発光部２２Ａを設け、下方に受光部２２Ｂを設け、発光部２２Ａから出された光を受光部２２Ｂで受取るように構成してなり、受光の有無でトラックの有無を検出する。
【０００４】
また、ディスクサイズを適正に判別できるようにするための技術として、次のものがあった（例えば、特許文献２参照。）。これは、次のような内容である。ディスク物理情報が光ディスクのディスク面に記録された光ディスクに対し、光ディスクを標準の回転速度で回転させながらそのディスク物理情報を読出し、そのディスク物理情報に基づいて光ディスクを判別する。そして、判別された光ディスクに応じて高速回転させるときの速度制限を行う。ディスクに記録されたディスク物理情報を利用するか、ディスクのイナーシャーやディスクの光反射率を計測したものでディスクの大きさなどを判別し、その判別出力に基づいてディスクの回転速度を適正な値以下に制御する。ＣＤ−ＲＯＭやＣＤ−Ｒなどの倍密光ディスクやＤＶＤのように、標準径（１２ｃｍ）を持った光ディスクの他に、これよりも径小（８ｃｍ）された大きさを持った光ディスク或いは矩形状をなす光ディスクなど、様々な光ディスクが装置に装着されたとき、装着された光ディスク径やディスク形状を正確に判別する。
【０００５】
【特許文献１】
特開２００１−３５１２３７号公報（第１頁）
【特許文献２】
特開２００２−１１７６１３号公報（第１頁）
【０００６】
【発明が解決しようとする課題】
しかしながら、情報再生装置で前述のような同心円状にない特殊形状の光ディスクを高速回転させると、その光ディスクが著しく大きな音を出しながら回転することが多く、サーボが著しく不安定で安定した情報の記録や再生等ができないことも多い。
この点に関し、例えば上述の特開２００１−３５１２３７号公報に記載されているように、特殊形状を持った記録媒体を検出する発光、受光素子を特定の位置に配置し、その検出結果をもって特殊形状を有する記録媒体を検出するという技術がある。しかし、これでは、特殊形状を持った記録媒体を検出するために形状が冗長な素子が必要となってしまい、妥当ではない。
また、例えば上述の特開２００２−１１７６１３号公報に見られるように、ディスクの容量や種別から記録、再生に関する速度を制限することは可能である。しかし、この従来技術では、名刺型ディスクのような特殊形状の光ディスクを検出した結果や光ディスクの種別から記録、再生速度を制限することはできない。この発明は、上記の問題点を解決するためになされたものであり、光ディスク等の記録媒体に対して情報の記録再生を行う情報記録再生装置において、冗長な検出手段を付加することなく、特殊な形状を持った記録媒体についても、安定した情報の記録や再生を可能とし、大きい音の発生を無くすことを目的とする。
【０００７】
【課題を解決するための手段】
この発明は、上記の目的を達成するため、記録媒体に対する情報の記録、記録されている情報の再生又は消去を行う手段を備えた情報記録再生装置であって、記録面全域に情報記録再生領域が同心円状に形成されている記録媒体と、情報記録再生領域に不連続領域が存在し、該情報記録再生領域が少なくとも２つの領域に分割されている特殊形状の記録媒体とを判別する特殊形状判別手段を設けたことを特徴とするものである。
上記情報記録再生装置は、記録媒体が特殊形状であると上記特殊形状判別手段が判断したときに、該記録媒体に対する情報の記録、記録されている情報の再生又は消去の少なくとも一つを行う速度を制限させる手段を設けるとよい。
また、上記特殊形状判別手段が、対物レンズを上記記録媒体の半径方向に移動させた位置におけるフォーカスサーボ信号のオンサーボの有無により上記記録媒体が特殊形状か否かを判別するとよい。
さらに、記録媒体のイナーシャの測定結果から、その記録媒体が８ｃｍサイズの光ディスクであるか否かを判断する手段を設け、その手段が８ｃｍサイズの光ディスクであると判断したときに、上記特殊形状判別手段が作動するとよい。
また、上記特殊形状判別手段が、上記特殊形状の記録媒体は、上記不連続領域がその中心孔から３乃至４ｃｍの位置に形成されているとして、特殊形状の記録媒体を判別するとよい。
【０００８】
【発明の実施の形態】
以下、この発明の実施の形態を図面に基づいて詳細に説明する。
図１は、この発明による情報記録再生装置２５の内部構成の一例を示すブロック図である。情報記録再生装置２５は、光ディスク１に対して、情報の記録、再生及び消去をすることが可能な構成を有し、その内部は、図１に示すような構成を有している。この情報記録再生装置２５は、スピンドルモータ２と、モータドライバ３と、サーボ手段４と、光ピックアップ５と、リードアンプ６と、ＣＤデコーダ７と、ＣＤ−ＲＯＭデコーダ８と、バッファマネージャ９と、バッファＲＡＭ１０とを有している。また、情報記録再生装置２５は、ＡＴＡＰＩ／ＳＣＳＩインターフェース（Ｉ／Ｆ）１１と、Ｄ／Ａコンバータ１２と、ＡＴＩＰデコーダ１３と、ＣＤエンコーダ１４と、ＣＤ−ＲＯＭエンコーダ１５と、レーザコントロール回路１６と、マイクロコンピュータ２０とを有している。
スピンドルモータ２は、回転駆動手段として作動し、光ディスク１を回転駆動させる。モータドライバ３は、スピンドルモータ２を作動させ、サーボ手段４は、スピンドルモータ２による光ディスク１の回転動作が線速度一定（ＣＬＶ）又は回転数一定（ＣＡＶ）となるように制御し、光ピックアップ５の動作を制御する。その線速度は段階的に変更が可能である。
【０００９】
光ピックアップ５は、図示しない光源としての半導体レーザ、光学系、フォーカシングアクチュエータ、トラッキングアクチュエータ、受光器、ポジションセンサ等を内蔵し、レーザ光を光ディスク１の記録面に照射する。この光ピックアップ５は、図示しないシークモータによりスレッジ方向（ディスク半径方向）に移動可能に構成されている。これらのフォーカシングアクチュエータ、トラッキングアクチュエータ、シークモータは受光器やポジションセンサから得られる信号を入力して、モータドライバ３とサーボ手段４とにより、光ディスク１の目的の場所に位置させるようにレーザ光のビームスポットの照射位置を制御する。
リードアンプ６は、光ピックアップ５で得られた再生信号を増幅して２値化した後、その２値化したデータをＣＤデコーダ７に入力する。ＣＤデコーダ７は、データ再生時に、入力する信号のデインターリーブとエラー訂正の処理を行い、そのデインターリーブとエラー訂正の処理後のデータをＣＤ−ＲＯＭデコーダ８に入力する。ＣＤ−ＲＯＭデコーダ８は、入力データについてエラー訂正処理を行い、データの信頼性を高める。バッファマネージャ９は、情報再生時にはＣＤ−ＲＯＭデコーダ８で処理したデータをバッファＲＡＭ１０に蓄積させる一方、情報記録時にはホストコンピュータ（図示せず）から転送されたデータをバッファＲＡＭ１０に蓄積させる。ＡＴＡＰＩ（ａｔｔａｃｈｍｅｎｔ  ｐａｃｋｅｔｉｎｔｅｒｆａｃｅ）／ＳＣＳＩインターフェース（Ｉ／Ｆ）１１は、ＣＤ−ＲＯＭデコーダ８で処理したデータがセクタ単位のデータ（セクタデータ）としてそろったときに、そのデータを図示しないホストコンピュータへ一気に転送し、光ディスク１に記録するためのデータをホストコンピュータから受信するためのインターフェースである。
【００１０】
Ｄ／Ａコンバータ１２は、ＣＤデコーダ７から出力される音楽データを入力してアナログのオーディオ信号を取り出す。
ＡＴＩＰデコーダ１３は、ＡＴＩＰ（Ａｂｓｏｌｕｔｅ  Ｔｉｍｅ  ｉｎ  Ｐｒｅ−Ｇｒｏｏｖｅ）信号の情報を取り出すとともに、ＡＴＩＰエラーを検出してＡＴＩＰ信号の検出エラー率を計測する。そのＡＴＩＰ信号は光ディスク１上の絶対番地を示す時間情報であって、バッファＲＡＭ１０に或る程度のデータが溜まり、そのデータの記録を開始する前にレーザスポットを位置させるときの書き込み開始地点を求めるためのもので、トラック（プリグルーブ）の蛇行により予め光ディスク１に刻まれているウォブル信号である。ＣＤエンコーダ１４は、ＡＴＩＰデコーダ１３が生成する同期信号を入力して正確な位置でのデータの書き出しを可能にする手段である。ＣＤエンコーダ１４及びＣＤ−ＲＯＭエンコーダ１５はバッファＲＡＭ１０に記憶されているデータについて、エラー訂正コードの付加やインターリーブを行い、光源駆動制御手段としてのレーザコントロール回路１６に入力する。そのデータが光ピックアップ５を介して光ディスク１に記録されることとなる。マイクロコンピュータ２０は、上述した各構成要素の動作を制御するためのユニットであって、ＣＰＵ１７、ＲＯＭ１８及びＲＡＭ１９を有している。ＣＰＵ１７は、情報記録再生装置２５全体の動作を制御する中央演算処理ユニット（ＬＳＩ）である。ＲＯＭ１８は、ＣＰＵ１７の処理によりこの発明の特徴とする動作を実行するためのプログラムが記憶され、ＲＡＭ１９は、ＣＰＵ１７が処理するデータなどが記憶されている。
【００１１】
次に、上述の構成を有する情報記録再生装置２５の機能について、図３から図６に示すフローチャートを参照して説明する。なお、図３から図６においてＳはステップを略記したものである。
まず、請求項１に係る発明による情報記録再生装置２５の機能について説明する。請求項１に係る発明では、情報記録再生装置２５に光ディスク１を挿入した時のディスクマウント処理において、光ディスクの特殊形状の判別を行う点を特徴としている。
図３は、光ディスクの特殊形状判別処理を含むディスクマウント時の処理手順を示すフローチャートである。情報記録再生装置２５は、光ディスク１をマウントさせるとＣＰＵ１７が処理をスタートさせてステップ１に進み、ＣＰＵ１７の内部の初期化や、サーボ信号等各種変数の初期化を行い、続くステップ２では、イナーシャの測定結果から、光ディスク１の大きさを判別する。この場合、光ディスク１は、大小で大きさを判別し（例えば大なら１２ｃｍ、小なら８ｃｍ）、ステップ３に進む。ステップ３では、ＣＰＵ１７が、特殊形状判別手段として作動し、光ディスク１の形状を特殊形状か通常の形状かで判別する光ディスクの特殊形状判別処理を実行する。
【００１２】
このステップ３で判別しようとする光ディスク１は、例えば図２に示すようなものである。図２は、通常の形状の光ディスクと特殊形状の光ディスクとを示す平面図である（なお、各光ディスクは、情報を記録、再生、消去できる領域（情報記録再生領域）２１が円形状を呈しているが、図２では、図示の都合上、情報記録再生領域２１が上下につぶれた楕円状に示されている）。ここで、（ａ）は、記録面の全域に、情報記録再生領域２１が同心円状に形成されている通常の形状の光ディスク１ａを示し、（ｂ）は情報記録再生領域２１に不連続領域（非トラック部分、いわゆる切れ目）２１ａ、２１ａが存在し、同心円状に形成された情報記録再生領域２１が１組の平行線Ａ，Ａによって分割された特殊形状に形成された光ディスク１ｂを示している。
ステップ３に続いてステップ４に進むと、反射率の測定結果により、光ディスク１の種類を判別する。ここでは、反射率の大小により光ディスク１の種類を判別する（大ならＣＤ−ＲＯＭやＣＤ−Ｒ、小ならＣＤ−ＲＷ）。続いてステップ５に進み、それまでのステップで設定された条件に基づき、最適なサーボ条件を設定してサーボ信号を調整する。そしてステップ６に進み、オンサーボ後に光ディスク１に記録されている情報を読込み、ディスクマウント時の処理を終了する。
【００１３】
従来の情報記録再生装置は、光ディスクの大きさや種類から最適なサーボ条件の設定を行うことで、オンサーボ後に光ディスクに記録された情報により、マウントしようとしている光ディスクの種類を判別していたが、その判別では、形状の相違を考慮してなく、特殊形状の光ディスクについては、必ずしも最適なサーボ条件の設定が行なわれていなかった。しかし、上述のとおり、この発明による情報記録再生装置２５は、光ディスク１をマウントする時に、光ディスク１の形状を特殊形状か通常の形状か判別して、その判別結果を考慮した最適なサーボ条件の設定が行なわれるようになっている。これにより、光ディスク１が通常の形状の場合だけでなく特殊形状の場合も、最適なサーボ条件の設定が行なわれ、そのオンサーボ後に光ディスク１に記録されている情報が読込まれるので、騒音、振動の面において、高速回転には向かない光ディスクの形状を判断することが可能であり、安定した情報の記録や再生ができるようになる。
【００１４】
次に、請求項２に係る発明による情報記録再生装置２５の機能について説明する。請求項２に係る発明では、情報記録再生装置２５に光ディスク１を挿入した時のディスクマウント処理において、光ディスクの特殊形状の判別を行い、その結果に応じて光ディスク１への情報の記録、再生又は消去の少なくとも一つを行う速度（情報記録再生速度）を制限することを特徴としている。図４は、光ディスクの特殊形状判別処理を含むディスクマウント時の別の処理手順を示すフローチャートである。このフローチャートは、図３に示すフローチャートと比較してステップ３、４の間にステップ７、８を有する点で相違し、その他は共通しているので、以下の説明は、その相違点を中心に行い、共通点の説明は省略ないし簡略化する。
情報記録再生装置２５は、光ディスク１をマウントさせるとＣＰＵ１７が処理をスタートさせてステップ１に進み、ステップ２，３を順次実行後、ステップ７に進む。ステップ７では、ステップ３での光ディスク１の特殊形状判別処理の結果を受けて光ディスク１が通常の形状（ｎｏｒｍａｌ）か否かを判断し、通常の形状であればステップ４に進んで、以下図３に示すフローチャートと同様に処理を実行するが、通常の形状でない場合（特殊形状の場合）はステップ８に進む。ステップ８に進むと、ＣＰＵ１７が光ディスク１への情報記録再生速度を制限する（例えば８倍速以下）ための指示を出力してステップ４に進み、以下図３に示すフローチャートと同様に処理を実行する。このようにすると、特殊形状の光ディスク１については最高速で回転することによる騒音、振動等の発生を可能な限り抑制することができるようになる。
【００１５】
次に、請求項３に係る発明による情報記録再生装置２５の機能について説明する。請求項３に係る発明では、上述した光ディスクの特殊形状判別処理の具体的な内容を特徴としている。
図５は、光ディスクの特殊形状判別処理の手順を示すフローチャートである。光ディスクの特殊形状判別処理がスタートすると、ステップ３１に進み、特殊形状の判別を行うにあたって、ＣＰＵ１７が、光ディスク１に対する光ピックアップ５の対物レンズの位置が相対的に既知であるか否かを判断する。この実施例においては、所定位置（例えば、ＨＯＭＥ位置）に対物レンズがあるか否かで判断する。対物レンズの位置が相対的に既知の場合、すなわち、所定位置にある場合はステップ３３に進み、所定位置にない場合はステップ３２に進んでステップ３２を実行後ステップ３３に進む。ステップ３２に進むと、対物レンズを所定位置（例えば、ＨＯＭＥ位置）に一旦移動させる。こうして、対物レンズが所定位置にあることがわかったら次にステップ３３に進み、不連続領域を考慮して対物レンズをそこから所定距離だけ（例えば、後述する空孔１ｃの中心からの移動距離Ｘを数ｃｍに設定する）半径方向に移動させる。続いてステップ３４に進み、ステップ３３での対物レンズ移動後の位置におけるフォーカスサーボ信号が問題なくオンサーボしているか否かをチェックする。フォーカスサーボ信号が問題なくオンサーボしていられる状態（オンサーボ有り）であれば、ステップ３５に進み、そこは光ディスク１のデータが連続している領域として、この光ディスク１が通常の光ディスクであると判別して処理を終了する。また、フォーカスサーボ信号がオフサーボしてしまう場合（オンサーボ無し）はステップ３６に進み、光ディスク１は特殊形状であると判別して処理を終了する。以上のようにすると、特殊形状に形成された光ディスクと、同心円形状の通常の光ディスクとを確実に判別することが可能となる。
【００１６】
次に、請求項４に係る発明による情報記録再生装置２５の機能について、図６に示すフローチャートを参照して説明する。図６は、光ディスクの特殊形状判別処理を含むディスクマウント時の別の処理手順を示すフローチャートである。このフローチャートは、図４に示すフローチャートと比較してステップ２、３の間にステップ９を有する点で相違し、その他は共通しているので、以下の説明では、その相違点を中心に行い、共通点の説明は省略ないし簡略化する。
情報記録再生装置２５は、光ディスク１をマウントさせるとＣＰＵ１７が処理をスタートさせてステップ１に進み、ステップ２を実行後、ステップ９に進む。ステップ９では、ステップ２でのイナーシャの測定結果から光ディスク１の種類が８ｃｍサイズの光ディスクか否かを判断し、８ｃｍサイズの光ディスクと判断された場合はステップ３に進んで、以下図４に示すフローチャートと同様にステップ７、８、４、５、６と順次実行して処理を終了する。８ｃｍサイズの光ディスクと判断されない場合（１２ｃｍサイズと判断された場合）はステップ４に進んで反射率測定を行い、ステップ３、７、８を実行することなく、以下図４に示すフローチャートと同様にステップ４、５、６と順次実行して処理を終了する。このようにすると、光ディスク１の特殊形状判別処理は、イナーシャ測定によって、８ｃｍサイズの光ディスクであると判断された場合にのみ行われるので、より使われることが多い１２ｃｍサイズの光ディスクの場合は、判別にかかる時間を費やすことなく、確実な判別が可能である。
【００１７】
次に、請求項５に係る発明による情報記録再生装置２５の機能について説明する。図２に示す連続的な情報記録再生領域２１に見られるように、一般的なカード形状をした特殊形状の光ディスク１ｂでは、その情報記録再生領域２１は中心部の空孔１ｃの中心から半径３ｃｍ程度の範囲で同心円状に設定されている。一方、同心円状の通常の光ディスク１ａでは、情報記録再生領域２１は空孔１ｃの中心から半径４ｃｍ程度の範囲で設定されている。
この点を考慮すると、空孔１ｃの中心から３〜４ｃｍの位置におけるフォーカスサーボ信号を判定することにより、その光ディスク１の特殊形状を判別することが可能となる。この場合、図５に示した光ディスクの特殊形状判別処理において、ステップ３３での移動距離Ｘを３．５ｃｍ程度に設定するとよい。空孔１ｃの中心から３〜４ｃｍの位置に特殊形状の光ディスクの不連続領域２１ａが存在することとなるから、移動距離Ｘを３．５ｃｍ程度に設定することで、光ディスクマウント時のディスクぶれによる誤差が最大２ｍｍ程度発生し得ることを考慮しても、光ディスクの特殊形状の判別は十分に行える。なお、データの存在し得る領域においてもデータトラックが存在しない場合はよくあるが、そのような場合でも、フォーカスサーボは連続的にオンサーボすることができるため、移動距離Ｘを３．５ｃｍとするような前述の位置に対物レンズを配置することで、特殊形状の判別が可能となる。
このように、請求項５に係る発明による情報記録再生装置２５では、特殊形状に形成された光ディスクにおける不連続領域２１ａが、光ディスク１の空孔１ｃの中心より半径３０ｍｍ〜４０ｍｍの位置に形成されているとして、特殊形状の記録媒体を判別するので、通常の同心円状の光ディスクと、特殊形状の例えば名刺型光ディスクとを間違えることなく確実に判別することが可能となる。
【００１８】
【発明の効果】
以上説明してきたように、この発明による情報記録再生装置は、騒音、振動の面において、高速回転には向かない光ディスクの形状を判断することが可能であり、安定した情報の記録や再生が可能である。
【図面の簡単な説明】
【図１】この発明による情報記録再生装置の内部構成の一例を示すブロック図である。
【図２】通常の形状の光ディスクと特殊形状の光ディスクとを示す平面図である。
【図３】光ディスクの特殊形状判別処理を含むディスクマウント時の処理手順を示すフローチャートである。
【図４】光ディスクの特殊形状判別処理を含むディスクマウント時の別の処理手順を示すフローチャートである。
【図５】光ディスクの特殊形状判別処理の手順を示すフローチャートである。
【図６】光ディスクの特殊形状判別処理を含むディスクマウント時の別の処理手順を示すフローチャートである。
【符号の説明】
１：光ディスク              ２：スピンドルモータ
３：モータドライバ                ４：サーボ手段
５：光ピックアップ              ６：リードアンプ
７：ＣＤデコーダ        ８：ＣＤ−ＲＯＭデコーダ
９：バッファマネージャ      １０：バッファＲＡＭ
１１：ＡＴＡＰＩ／ＳＣＳＩＩ／Ｆ
１２：Ｄ／Ａコンバータ    １３：ＡＴＩＰデコーダ
１４：ＣＤエンコーダ
１５：ＣＤ−ＲＯＭエンコーダ
１６：レーザコントロール回路        １７：ＣＰＵ
１８：ＲＯＭ                        １９：ＲＡＭ
２０：マイクロコンピュータ
２５：情報記録再生装置
【図１】
2004164743.tif 000003
【図２】
2004164743.tif 000004
【図３】
2004164743.tif 000005
【図４】
2004164743.tif 000006
【図５】
2004164743.tif 000007
【図６】
2004164743.tif 000008